(57)【要約】【課題】ユーザが所望する電子ファイルを簡易な操作で容易に特定する。【解決手段】スマートフォン１は、１または複数の電子ファイルが格納されたフォルダを表す画像が表示された領域に指示体が接触したか否かを判定する接触判定部２１０と、指示体が接触したと判定され、かつ、該接触した指示体を移動させる操作を受け付けたとき、該移動の方向を判定する方向判定部２１１と、上記判定された方向に対応付けられた、フォルダに格納されている電子ファイルを特定するファイル特定部２２とを備える。【選択図】図１
2014048841.tif 000002
【特許請求の範囲】
【請求項１】
表示領域に画像を表示する表示部と、上記表示領域に対する指示体による操作を受け付ける操作部とを備えた情報処理装置であって、
１または複数の電子ファイルが格納されたフォルダを表す画像が表示された領域に指示体が接触したか否かを判定する接触判定手段と、
上記接触判定手段にて指示体が接触したと判定され、かつ、該接触した指示体を移動させる操作を上記操作部にて受け付けたとき、該移動の方向を判定する方向判定手段と、
上記方向判定手段にて判定された方向に対応付けられた、上記フォルダに格納されている電子ファイルを特定するファイル特定手段とを備えることを特徴とする情報処理装置。
【請求項２】
指示体を移動させる上記操作は、指示体をフリックして移動させるフリック操作であり、
上記方向判定手段は、上記フリック操作を受け付けたとき、上記移動の方向を判定することを特徴とする請求項１に記載の情報処理装置。
【請求項３】
上記接触判定手段は、さらに、
上記表示領域における、上記フォルダへのリンクが指定されたリンクファイルを表す画像が表示された領域に、指示体が接触したか否かを判定することを特徴とする請求項１または２に記載の情報処理装置。
【請求項４】
上記フォルダに格納されている電子ファイルの数と同数の、異なる２次元の方向を決定する方向決定手段と、
上記フォルダに格納されている電子ファイルのそれぞれに、上記決定された方向を１対１に対応付ける方向対応付け手段とをさらに備えることを特徴とする請求項１から３のいずれか１項に記載の情報処理装置。
【請求項５】
上記接触判定手段にて指示体が接触したと判定されたとき、上記フォルダに格納されている電子ファイルと該電子ファイルに対応付けられている方向との対応付けを示す情報を上記表示領域に表示する表示制御手段をさらに備えることを特徴とする請求項１から４のいずれか１項に記載の情報処理装置。
【請求項６】
上記表示制御手段は、上記表示領域における所定位置から、上記フォルダに格納されている電子ファイルに対応付けられている方向に向かう位置に、該電子ファイルを表す画像を表示することによって上記対応付けを示す情報を表示することを特徴とする請求項５に記載の情報処理装置。
【請求項７】
上記ファイル特定手段によって特定された電子ファイルに対して所定処理を実行する処理実行手段をさらに備えることを特徴とする請求項１から６のいずれか１項に記載の情報処理装置。
【請求項８】
１または複数の電子ファイルが格納されたフォルダを表す画像を表示領域に表示する表示部と、上記表示領域に対する指示体による操作を受け付ける操作部とを備えた情報処理装置の制御方法であって、
上記フォルダを表す画像が表示された領域に指示体が接触したか否かを判定する接触判定ステップと、
上記接触判定ステップにて指示体が接触したと判定され、かつ、該接触した指示体を移動させる操作を上記操作部にて受け付けたとき、該移動の方向を判定する方向判定ステップと、
上記方向判定ステップにて判定された方向に対応付けられた、上記フォルダに格納されている電子ファイルを特定するファイル特定ステップとを含むことを特徴とする情報処理装置の制御方法。
【請求項９】
請求項１から７のいずれか１項に記載の情報処理装置が備えるコンピュータを動作させる制御プログラムであって、上記コンピュータを上記の各手段として機能させるための制御プログラム。
【請求項１０】
請求項９に記載の制御プログラムを記録したコンピュータ読み取り可能な記録媒体。
【発明の詳細な説明】
【技術分野】
【０００１】
本発明は、画像を表示するとともに、指示体による操作を受け付ける情報処理装置等に関するものである。
【背景技術】
【０００２】
近年、画像を表示するとともに、ユーザの指やスタイラスペンなどの指示体による操作（以下、タッチ操作と称する）を受け付ける情報処理装置が普及しており、情報処理装置が備える機能の多くがタッチ操作によって行えるようになっている。例えば、特許文献１には、情報処理装置での文字入力を種々のタッチ操作で行うための技術が開示されている。
【０００３】
また、タッチ操作を導入することで、入力操作の回数を低減させ、利便性を向上させる試みがなされている。例えば、特許文献１に記載の、文字入力にフリック操作を導入する技術によって、１回のタッチ操作でユーザが所望する文字を入力することができる。
【０００４】
さらに、最近では、タッチ操作を受け付ける情報処理装置の操作性を向上させる試みがなされている。例えば、特許文献２には、タッチセンサに対する複数の態様の操作を、操作者の意図に沿うように的確に判別することができる技術が開示されている。
【先行技術文献】
【特許文献】
【０００５】
【特許文献１】特開２００９−２６６２３６号公報（２００９年１１月１２日公開）
【特許文献２】特開２０１２−１１３６４５号公報（２０１２年６月１４日公開）
【発明の概要】
【発明が解決しようとする課題】
【０００６】
ところで、タッチ操作を受け付ける情報処理装置では、表示部に表示されたアプリケーションファイルなど（以下、電子ファイルと称する）を表すアイコンに対して、ユーザがタッチ操作を行うことによって、当該電子ファイルに対する処理が行われることが多い。
【０００７】
そのため、ユーザは電子ファイルの中で頻繁に使用するものを、情報処理装置を起動した際に最初に表示される画面であるホーム画面に配置することがある。しかしながら、ホーム画面に配置できる電子ファイルの数には限りがあり、電子ファイルの増加に伴って、ユーザは、ホーム画面に所望の電子ファイルのアイコンをすべて配置することが困難になっている。
【０００８】
また、ホーム画面に配置していない電子ファイルに対して処理を行うためには、当該電子ファイルのアイコンが配置されている画面（以下、ファイル画面と称する）に遷移した後に、当該電子ファイルのアイコンを探してタッチ操作を行う必要があった。
【０００９】
さらに、電子ファイルのアイコンの増加によってホーム画面またはファイル画面に多量のアイコンが配置されることが多く、ユーザが所望の電子ファイルを見つけるまでに時間がかかるという問題もあった。
【００１０】
このような問題に対処するために、ホーム画面にフォルダを作成し、該フォルダ内に電子ファイルを格納することによって電子ファイルを整理する措置が考えられる。しかしながら、フォルダ内の電子ファイルに対して処理を行うためには、フォルダをタッチ操作によって展開した後、さらに、当該電子ファイルのアイコンを探し出してタッチ操作によって起動するという、少なくとも２ステップの操作を必要とする。そのため、ホーム画面に電子ファイルのアイコンを配置する場合に比べて、利便性および操作性が損なわれる。
【００１１】
本発明は、上記の課題に鑑みてなされたものであって、その目的は、ユーザが所望する電子ファイルを簡易な操作で容易に特定する情報処理装置などを実現することにある。
【課題を解決するための手段】
【００１２】
上記課題を解決するために、本発明に係る情報処理装置は、表示領域に画像を表示する表示部と、上記表示領域に対する指示体による操作を受け付ける操作部とを備えた情報処理装置であって、１または複数の電子ファイルが格納されたフォルダを表す画像が表示された領域に指示体が接触したか否かを判定する接触判定手段と、上記接触判定手段にて指示体が接触したと判定され、かつ、該接触した指示体を移動させる操作を上記操作部にて受け付けたとき、該移動の方向を判定する方向判定手段と、上記方向判定手段にて判定された方向に対応付けられた、上記フォルダに格納されている電子ファイルを特定するファイル特定手段とを備えることを特徴としている。
【００１３】
また、本発明に係る情報処理装置の制御方法は、１または複数の電子ファイルが格納されたフォルダを表す画像を表示領域に表示する表示部と、上記表示領域に対する指示体による操作を受け付ける操作部とを備えた情報処理装置の制御方法であって、上記フォルダを表す画像が表示された領域に指示体が接触したか否かを判定する接触判定ステップと、
上記接触判定ステップにて指示体が接触したと判定され、かつ、該接触した指示体を移動させる操作を上記操作部にて受け付けたとき、該移動の方向を判定する方向判定ステップと、上記方向判定ステップにて判定された方向に対応付けられた、上記フォルダに格納されている電子ファイルを特定するファイル特定ステップとを含むことを含むことを特徴としている。
【００１４】
上記の構成によれば、１または複数の電子ファイルが格納されたフォルダを表す画像が表示された領域に指示体が接触したか否かを判定する。次に、指示体が接触したと判定され、かつ、該接触した指示体を移動させる操作を操作部が受け付けたとき、該移動の方向を判定する。続いて、該判定された方向に対応付けられた、フォルダに格納されている電子ファイルを特定する。
【００１５】
よって、ユーザはフォルダを表す画像が表示された領域で、該領域に接触された物体を移動させる操作を行うだけで、フォルダに格納されている電子ファイルを特定することができる。
【００１６】
したがって、ユーザは、所望する電子ファイルを簡易な操作で容易に特定することができ、利便性および操作性を向上することができるという効果を奏する。
【００１７】
さらに、少ない操作数で電子ファイルにアクセスするために従来は最上位階層の画面等に配置していた電子ファイルをフォルダ内に格納することができることから、最上位階層の画面等に配置する電子ファイルを少なくしたり、新たな電子ファイルを配置することができるので、利便性を向上することができるという効果を奏する。
【００１８】
さらに、本発明に係る情報処理装置において、指示体を移動させる上記操作は、指示体をフリックして移動させるフリック操作であり、上記方向判定手段は、上記フリック操作を受け付けたとき、上記移動の方向を判定する構成であってもよい。
【００１９】
上記の構成によれば、さらに、フリック操作を受け付けたとき、移動の方向を判定する。
【００２０】
したがって、ユーザはフォルダを表す画像が表示された領域で、操作が１ステップであるフリック操作を行うだけで、所望する電子ファイルを容易に特定することができる。
【００２１】
本発明に係る情報処理装置において、上記接触判定手段は、さらに、上記表示領域における、上記フォルダへのリンクが指定されたリンクファイルを表す画像が表示された領域に、指示体が接触したか否かを判定する構成であってもよい。
【００２２】
上記の構成によれば、該表示領域において、フォルダへのリンクが指定されたリンクファイルを表す画像が表示された領域に、指示体が接触したか否かを判定する。
【００２３】
したがって、ユーザは既存のフォルダのリンクファイルを作成しておけば、リンクファイルを表す画像が表示された領域に対する指示体を移動させる操作を行うだけで、リンクファイルに対応するフォルダに格納されている電子ファイルを特定することができる。
【００２４】
さらに、本発明に係る情報処理装置は、上記フォルダに格納されている電子ファイルの数と同数の、異なる２次元の方向を決定する方向決定手段と、上記フォルダに格納されている電子ファイルのそれぞれに、上記決定された方向を１対１に対応付ける方向対応付け手段とをさらに備える構成であってもよい。
【００２５】
上記の構成によれば、フォルダに格納されている電子ファイルの数と同数の、異なる２次元の方向を決定する。さらに、フォルダに格納されている電子ファイルのそれぞれに、決定された方向を１対１に対応付ける。
【００２６】
したがって、フォルダ内の電子ファイルの数に応じて、操作方向の数が決定されるので、フォルダに格納した電子ファイルのすべてに対して、操作方向が対応付けられる。これにより、フォルダ内に格納されている電子ファイルの全てを特定対象とすることができる。よって、ユーザの利便性および操作性をより高めることができる。
【００２７】
さらに、本発明に係る情報処理装置は、上記接触判定手段にて指示体が接触したと判定されたとき、上記フォルダに格納されている電子ファイルと該電子ファイルに対応付けられている方向との対応付けを示す情報を上記表示領域に表示する表示制御手段を備える構成であってもよい。
【００２８】
したがって、操作方向とファイル識別情報との対応付けをユーザに提示することができる。つまり、ユーザは、所望の電子ファイルに対して所定処理を実行させるためにはどの方向に操作すれば良いかを視覚的に判断することができる。
【００２９】
よって、ユーザは所望する電子ファイルをより容易に特定することができる。
【００３０】
さらに、本発明に係る情報処理装置において、上記表示制御手段は、上記表示領域における所定位置から、上記フォルダに格納されている電子ファイルに対応付けられている方向に向かう位置に、該電子ファイルを表す画像を表示することによって上記対応付けを示す情報を表示する構成であってもよい。
【００３１】
上記の構成によれば、表示領域における所定位置から、フォルダに格納されている該電子ファイルに対応付けられている方向に向かう位置に、該電子ファイルを表す画像を表示することによって、対応付けを示す。
【００３２】
したがって、操作方向とファイル識別情報との対応付けをより分かりやすくユーザに提示することができる。よって、ユーザは所望する電子ファイルをさらに容易に特定することができる。
【００３３】
さらに、本発明に係る情報処理装置は、上記ファイル特定手段によって特定された電子ファイルに対して所定処理を実行する処理実行手段をさらに備える構成であってもよい。
【００３４】
上記の構成によれば、特定された電子ファイルに対して、所定処理を実行する。
【００３５】
よって、ユーザは、フォルダを表す画像が表示された領域で、該領域に接触された物体を移動させる操作を行うだけで、フォルダに格納されている電子ファイルに対する処理を実行することができる。
【００３６】
したがって、ユーザは、所望する電子ファイルに対する処理を、容易に実行することができる。
【００３７】
例えば、電子ファイルがアプリケーションプログラムの実行可能形式ファイルである場合、当該アプリケーションプログラムを起動させることができる。
【００３８】
なお、上記情報処理装置は、コンピュータによって実現してもよく、この場合には、コンピュータを上記各手段として動作させることにより、上記情報処理装置をコンピュータにて実現させる情報処理装置の制御プログラム、および、それを記録したコンピュータ読み取り可能な記録媒体も、本発明の範疇に入る。
【発明の効果】
【００３９】
本発明に係る情報処理装置は、表示領域に画像を表示する表示部と、上記表示領域に対する指示体による操作を受け付ける操作部とを備えた情報処理装置であって、１または複数の電子ファイルが格納されたフォルダを表す画像が表示された領域に指示体が接触したか否かを判定する接触判定手段と、上記接触判定手段にて指示体が接触したと判定され、かつ、該接触した指示体を移動させる操作を上記操作部にて受け付けたとき、該移動の方向を判定する方向判定手段と、上記方向判定手段にて判定された方向に対応付けられた、上記フォルダに格納されている電子ファイルを特定するファイル特定手段とを備える構成である。
【００４０】
また、本発明に係る情報処理装置の制御方法は、１または複数の電子ファイルが格納されたフォルダを表す画像を表示領域に表示する表示部と、上記表示領域に対する指示体による操作を受け付ける操作部とを備えた情報処理装置の制御方法であって、上記フォルダを表す画像が表示された領域に指示体が接触したか否かを判定する接触判定ステップと、上記接触判定ステップにて指示体が接触したと判定され、かつ、該接触した指示体を移動させる操作を上記操作部にて受け付けたとき、該移動の方向を判定する方向判定ステップと、上記方向判定ステップにて判定された方向に対応付けられた、上記フォルダに格納されている電子ファイルを特定するファイル特定ステップとを含む方法である。
【００４１】
よって、ユーザはフォルダを表す画像が表示された領域で、該領域に接触された物体を移動させる操作を行うだけで、フォルダに格納されている電子ファイルを特定することができる。
【００４２】
それゆえ、ユーザは、所望する電子ファイルを簡易な操作で容易に特定することができ、利便性および操作性を向上することができるという効果を奏する。
【図面の簡単な説明】
【００４３】
【図１】本発明の一実施形態に係るスマートフォンの要部構成を示すブロック図である。
【図２】（ａ）は、上記スマートフォンが備える対応情報記憶部のデータ構造およびデータ例を示す模式図であり、（ｂ）は、フォルダを展開したときの画面例を示す模式図である。
【図３】上記スマートフォンの表示部に表示される画面例を示す模式図である。
【図４】上記スマートフォンにおける処理の流れの一例を示すフローチャートである。
【図５】上記スマートフォンの表示部に表示される他の画面例を示す模式図である。
【図６】本発明の他の一実施形態に係るスマートフォンの要部構成を示すブロック図である。
【図７】上記スマートフォンにおいて、対応情報記憶部に格納する対応情報を動的に生成する具体例を示す模式図である。
【図８】上記スマートフォンの表示部に表示されるガイド画像の一具体例を示す模式図である。
【発明を実施するための形態】
【００４４】
＜実施形態１＞
本発明の一実施形態について図１〜図５に基づいて説明すれば以下の通りである。
【００４５】
本発明に係る情報処理装置として、タッチパネルを備えたスマートフォンを例に挙げて説明する。なお、本発明は、上記スマートフォンの他、タブレット端末などの、指示体（具体的には、ユーザの指やスタイラスペンなどの物体）による入力操作が可能な情報処理装置に適用することが可能である。また、図面における長さ、大きさ、および幅などの寸法関係ならびに形状は、図面の明瞭化と簡略化のために適宜に変更されており、実際の寸法および形状を表してはいない。
【００４６】
〔スマートフォンの概要〕
本実施形態に係るスマートフォン１は、１または複数の電子ファイルが格納されたフォルダを表す画像（以下、フォルダアイコンと表記する）が表示された領域に接触させた指示体（具体的には、ユーザの指やスタイラスペンなどの物体）を移動させる操作を受け付けたとき、該移動の方向に対応付けられた、上記フォルダに格納されている電子ファイルを特定することを主特徴とする情報処理装置である。
【００４７】
「指示体を移動させる操作」とは、典型的にはフリック操作を想定している。なお、フリック操作に代えてドラッグ操作であってもよいが、この場合、フォルダ自体を移動させることを目的としたドラッグ操作と区別するために、例えば、長押し後のドラッグ操作であることが好ましい。
【００４８】
また、電子ファイルの種類は特に限定されるものではなく、アプリケーションプログラムの実行形式ファイル、文書ファイル、画像ファイル、ファイルまたはフォルダへのリンクが規定されたリンクファイル（例えば、Windows（登録商標）の「ショートカット」）など、どのような電子ファイルであってもよい。
【００４９】
なお、電子ファイルおよびフォルダは、ＯＳ（Operating System）が備えるファイルシステムによって管理される。なお、「フォルダ」は、ＯＳがWindows（登録商標）等である場合の呼称であり、ＯＳがUnix（登録商標）等である場合はディレクトリと称される。
【００５０】
図３を参照しながら、スマートフォン１の特徴的な画面例について説明する。図３の（ａ）は、スマートフォン１の最上位階層の画面であるホーム画面の一例を示す模式図である。この例では、ホーム画面には、電子ファイルを表すアイコン４９とともに、フォルダアイコン４０が表示されている。なお、ここでは、フォルダはホーム画面に設けられているものとして説明するが、フォルダが設けられる階層は特に限定されるものではなく、例えば、ホーム画面より下位層の画面に設けられてもよいし、他のフォルダのサブフォルダとして設けられてもよい。フォルダが設けられる階層については、以降の他の実施形態および変形例においても同様である。
【００５１】
なお、フォルダには、カメラアプリケーションの実行形式ファイル（または、当該実行形式ファイルへのリンクが規定されたリンクファイル）が格納されているものとする。そして、この実行形式ファイル（または、リンクファイル）と、上方向とが予め対応付けられているものとする。
【００５２】
この場合において、図３の（ｂ）に示すとおり、スマートフォン１は、フォルダアイコン４０が表示されている領域にて、ユーザの指を上方向に移動させるフリック操作を受け付けたものとする。
【００５３】
上述したとおり、上方向には、カメラアプリケーションの実行形式ファイルが対応付けられている。よって、スマートフォン１は、ユーザの指を上方向に移動させるフリック操作を受け付けた結果、フォルダ内に格納されているカメラアプリケーションの実行形式ファイルを特定する。
【００５４】
なお、該特定された電子ファイルを実行することが予め設定されている場合、スマートフォン１は、図３の（ｃ）に示すとおり、引き続き、カメラアプリケーションを起動する。
【００５５】
このように、スマートフォン１によれば、フォルダに接触させた指示体を移動させる操作（典型的にはフリック操作）を行うだけで、移動方向と対応付けられた、フォルダに格納されている電子ファイルを特定することができる。したがって、簡易な操作により所望の電子ファイルを特定することができるので、従来技術と比べて利便性および操作性の向上を図ることができるという効果を奏する。
【００５６】
〔スマートフォンの構成〕
次に、図１を参照して、スマートフォン１の要部構成について説明する。図１は、スマートフォン１の要部構成を示すブロック図である。
【００５７】
図１に示すように、スマートフォン１は、少なくとも、入力部（操作部）１０、表示部１１、制御部１２、および、記憶部１３を備える構成である。さらに、スマートフォン１は、図示しないが、通信部、音声入力部、音声出力部、放送受像部、ＧＰＳ（Global Positioning System）など、スマートフォンが標準的に備えている各種部品を備えていてもよい。
【００５８】
入力部１０は、ユーザが指示体を用いてスマートフォン１に指示信号を入力する入力デバイスである。なお、本実施形態では、入力部１０は、表示部１１とともにタッチパネル５として構成されている。そのため、本実施形態では、入力部１０が入力を受け付ける入力領域と、表示部１１が画像を表示する表示領域とは略同一であり、入力部１０は、表示部１１が画像を表示する表示領域に対する操作を受け付ける。
【００５９】
入力部１０は、指示体の接触（接近も含む）を受け付ける入力面と、指示体が入力面に接触したことを検知するとともに、入力面における指示体が接触した位置（座標）を検知するタッチセンサとで構成されている。タッチセンサは、指示体と入力面との接触／非接触を検知できればどのようなセンサで実現されていてもかまわない。例えば、圧力センサ、静電容量センサ、光センサなどで実現される。
【００６０】
次に、表示部１１は、スマートフォン１が処理する情報を画像として表示領域に表示する表示デバイスである。例えば、表示部１１には、後述する表示制御部２４などによって処理された情報が表示される。表示部１１は、例えば、ＬＣＤ（液晶ディスプレイ）などの表示装置で構成される。なお、上述したとおり、本実施形態では、入力部１０および表示部１１は、タッチパネル５として構成されているため、これらは一体となっている。
【００６１】
本実施形態ではスマートフォン１を例に挙げて説明するため、入力部１０および表示部１１がタッチパネル５として構成されているものとして説明するが、本発明がこの構成に限定されるものではない。例えば、入力部１０と表示部１１とが別体であって、表示部１１が、空中投影表示（ホログラム等）やＡＲ（Augmented Reality）表示等を行なう構成であってもよいし、入力部１０が、赤外線センサ等を利用した空間座標検出装置や空中マウスなどにより構成されていてもよい。この場合、表示部１１が画像を表示する表示領域（表示空間）と、入力部１０が入力を受け付ける入力領域（入力空間）とは、座標が対応するように構成される。そして、これらの組合せにより、画像が表示されている空間座標にディスプレイやタッチパネルが物理的に存在しないシステムについても本発明の適用対象となる。
【００６２】
次に、記憶部１３は、（１）スマートフォン１の制御部１２が実行する制御プログラム、（２）制御部１２が実行するＯＳプログラム、（３）制御部１２が、情報処理装置が有する各種機能を実行するためのアプリケーションプログラム、（４）該アプリケーションプログラムを実行するときに読み出す各種データを非一時的に記憶するものである。例えば、上記（１）〜（４）のデータは、ＲＯＭ（read only memory）、フラッシュメモリ、ＥＰＲＯＭ（Erasable Programmable ROM）、ＥＥＰＲＯＭ（登録商標）（Electrically EPROM）、ＨＤＤ（Hard Disc Drive）などの記憶装置に記憶される。
【００６３】
記憶部１３は、特に、対応情報記憶部３０を含んでいる。対応情報記憶部３０は、フォルダに格納されている電子ファイルのそれぞれについて、電子ファイルを識別するファイル識別情報と、後述する操作方向とを対応付けた対応情報を、フォルダ毎に記憶するものである。対応情報記憶部３０のデータ構造およびデータ例については後述する。
【００６４】
また、図示していないが、記憶部１３は、電子ファイルおよびフォルダを記憶する。
【００６５】
なお、スマートフォン１は、図示しない一時記憶部を備えていてもよい。一時記憶部は、スマートフォン１が実行する各種処理の過程で、演算に使用するデータおよび演算結果などを一時的に記憶するいわゆるワーキングメモリであり、ＲＡＭ（Random Access Memory）などの記憶装置で構成される。
【００６６】
また、どのデータをどの記憶装置に記憶するのかについては、情報処理装置の使用目的、利便性、コスト、物理的な制約などから適宜決定される。
【００６７】
次に、制御部１２は、スマートフォン１が備える各部を統括制御するものである。制御部１２は、少なくとも、操作決定部２１、およびファイル特定部（ファイル特定手段）２２を含んでいる。さらに、図示のとおり、ファイル実行処理部（処理実行手段）２３、および表示制御部（表示制御手段）２４を含んでいることが好ましい。
【００６８】
上述した制御部１２の各機能ブロックは、例えば、ＣＰＵ（central processing unit）が、ＲＯＭ（read only memory）、ＮＶＲＡＭ（non-Volatile random access memory）等で実現された記憶装置（記憶部１３）に記憶されているプログラムを不図示のＲＡＭ（random access memory）等に読み出して実行することで実現できる。
【００６９】
操作決定部２１は、入力部１０により入力面との接触が検知された指示体の動きに応じて、受け付ける操作を決定するものである。指示体の動きの典型例は、（１）接触したまま移動した距離が所定距離を超える前に非接触となる、（２）接触したまま所定距離を超えて移動する、（３）移動することなく所定時間経過前に非接触となる、（４）移動することなく所定時間経過後に非接触となる、である。操作決定部２１は、上記（１）の場合はフリック操作として受け付け、上記（２）の場合はドラッグ操作として受け付け、上記（３）の場合はタップ操作として受け付け、上記（４）の場合は長押し操作として受け付ける。
【００７０】
そして、操作決定部２１は、特に、接触判定部２１０（接触判定手段）、および、方向判定部（方向判定手段）２１１を含んでいる。
【００７１】
接触判定部２１０は、フォルダアイコン４０が表示された領域に、指示体が接触したか否かを判定するものである。具体的には、接触判定部２１０は、表示部１１に表示されたフォルダアイコン４０の表示位置と、入力部１０により検知された指示体の接触位置とが一致するか否かを判定する。なお、接触判定部２１０にてフォルダアイコン４０の表示領域と指示体の接触位置とが一致すると判定したとき、フォルダアイコン４０で表わされるフォルダが操作対象であることが特定される。
【００７２】
方向判定部２１１は、接触判定部２１０にてフォルダアイコン４０の表示領域と指示体の接触位置とが一致すると判定され、かつ、操作決定部２１にてフリック操作またはドラッグ操作を受け付けたとき、指示体が移動した方向（以下では、操作方向と表記する）を判定するものである。操作方向は、指示体の接触位置の軌跡から判定する。
【００７３】
次に、ファイル特定部２２は、操作方向に対応付けられた、フォルダに格納されている電子ファイルを特定するものである。具体的には、ファイル特定部２２は、対応情報記憶部３０に格納されている、接触判定部２１０にてフォルダアイコン４０の表示領域と指示体の接触位置とが一致すると判定したことによって操作対象として特定されたフォルダの対応情報から、方向判定部２１１にて判定された操作方向と対応付けられたファイル識別情報を取得し、該取得したファイル識別情報で識別される電子ファイルを特定する。
【００７４】
次に、ファイル実行処理部２３は、ファイル特定部２２にて特定された電子ファイルに対して処理を実行するものである。具体的には、ファイル実行処理部２３は、ファイル特定部２２が取得したファイル識別情報で識別される電子ファイルに対して、予め設定されている所定処理を実行する。典型的には、電子ファイルのファイル形式（言い換えれば、拡張子）に応じて予め設定されている所定処理を実行する。
【００７５】
例えば、電子ファイルの拡張子が「.exe」である場合（つまり、実行形式ファイルである場合）、ファイル実行処理部２３は電子ファイルを実行する。なお、電子ファイルがアプリケーションプログラムの実行可能形式ファイルである場合、当該アプリケーションプログラムを起動することとなる。
【００７６】
また、例えば、電子ファイルの拡張子が「.jpg」である場合（つまり、ＪＰＥＧ（Joint Photographic Experts Group）形式の画像ファイルである場合）、ファイル実行処理部２３は画像アプリケーションに当該電子ファイルを開かせる。
【００７７】
最後に、表示制御部２４は、表示部１１に各種の画像を表示させるものである。具体的には、表示制御部２４は、記憶部１３に格納されているフォルダアイコン４０および電子ファイルのアイコンを表示部１１に表示させる。さらに、ファイル実行処理部２３によって電子ファイルが実行された結果を表示部１１に表示させる。
【００７８】
〔対応情報記憶部の構成〕
次に、図２を参照して、対応情報記憶部３０のデータ構造およびデータ例について説明する。図２の（ａ）は、対応情報記憶部３０のデータ構造およびデータ例を示す模式図である。なお、図２の（ａ）に示すデータ構造は一例であって、データ構造が表形式に限定されるものではない。
【００７９】
「操作方向」のカラムには、操作方向を示す情報が格納される。なお、図２の（ａ）では、対応情報記憶部３０に８つの操作方向が格納されているが、これは一例であって、操作方向が８つ限定されるものではない。
【００８０】
また、「ファイル識別情報」のカラムには、フォルダに格納されている電子ファイルを識別するファイル識別情報が格納される。例えば、図２の（ａ）では、上方向の操作には、ファイル識別情報「Ａ」が対応付けられている。この場合、方向判定部２１１にて判定された操作方向が上方向であれば、ファイル特定部２２によって、ファイル識別情報「Ａ」で識別される電子ファイルが特定される。
【００８１】
なお、操作方向とファイル識別情報とを対応付ける方法は、特に限定されるものではなく、様々の方法が採用され得る。例えば、フォルダを開いたときの電子ファイルの並び順に従って、操作方向とファイル識別情報とを自動的に対応付ける構成であってもよい。具体的には、図２の（ｂ）の右側に示すとおり、フォルダを開いたときの電子ファイルの並び順が左上から順に、Ａ、Ｂ、Ｃ、Ｄ、Ｅ、Ｆ、Ｇ、Ｈであるとき、この順に、上、右上、右、右下、下、左下、左、左上の操作方向を自動的に対応付ける。この結果、図２の（ａ）に示す対応情報が生成される。
【００８２】
また、別の対応付け方法として、例えば、電子ファイルの名称の昇順または降順に従って、操作方向とファイル識別情報とを自動的に対応付ける構成であってもよい。
【００８３】
また、ユーザの操作に応じて、操作方向とファイル識別情報との対応付けが編集可能な構成であってもよい。例えば、上述したように、フォルダ内の電子ファイルの並び順によって、操作方向とファイル識別情報との対応付けが自動的に決定される場合、ユーザがフォルダ内の電子ファイルの並び順を変更することによって、新たな並び順が記憶部１３に保存され、変更後の並び順に従って自動的に対応付けが更新される構成であってもよい。これにより、ユーザが所望するように対応付けを編集することが可能となる。
【００８４】
〔処理の流れ〕
続いて、スマートフォン１における処理の流れの一例について、図４を参照して説明する。図４は、スマートフォン１における処理の流れの一例を示すフローチャートである。
【００８５】
まず、接触判定部２１０が、フォルダアイコン４０が表示された領域に指示体が接触したと判定したとき（Ｓ１００にてＹＥＳ、接触判定ステップ）、続いて、操作決定部２１は、指示体の動きに応じて、受け付ける操作を決定する（Ｓ１０１）。
【００８６】
操作決定部２１にて決定された操作がフリック操作であるとき（Ｓ１０１にてＹＥＳ）、方向判定部２１１は操作方向を判定する（Ｓ１０２：方向判定ステップ）。このとき、図３の（ｂ）に示した例で言えば、上方向であると判定する。
【００８７】
そして、ファイル特定部２２は、対応情報記憶部３０に格納されている、操作対象として特定されたフォルダの対応情報から、方向判定部２１１にて判定された操作方向と対応付けられたファイル識別情報を取得し、該取得したファイル識別情報で識別される電子ファイルを特定する（Ｓ１０３：ファイル特定ステップ）。
【００８８】
最後に、ファイル実行処理部２３は、ファイル特定部２２にて特定された電子ファイルに対して処理を実行する（Ｓ１０４）。このとき、図３の（ｃ）に示した例で言えば、カメラアプリケーションが起動される。
【００８９】
なお、電子ファイルを特定した段階で処理を終了する場合は、ステップＳ１０４は不要である。
【００９０】
〔効果〕
以上のとおり、スマートフォン１は、フォルダに接触させた指示体を移動させる操作を受け付けたとき、操作方向に対応付けられた、フォルダに格納されている電子ファイルを特定し、該特定された電子ファイルに対して処理を実行する。
【００９１】
よって、ユーザは、所望の電子ファイルと対応付けられている操作方向に指示体を移動させるようにフォルダを操作するだけで、フォルダに格納されている、所望の電子ファイルを特定することが可能となる。
【００９２】
したがって、ユーザは、頻繁に使用する電子ファイルをフォルダに格納して整理しておけば、その電子ファイルをホーム画面から１ステップの操作で直接選択することが可能となる。つまり、フォルダ内の電子ファイルを特定するには従来は少なくとも２ステップの操作が必要であったところ、本発明によれば、ユーザは、１ステップの簡易な操作を行うだけで、フォルダ内の電子ファイルを選択することができ、当該電子ファイルがアプリケーションファイルであれば起動させることができるので、利便性および操作性の向上を図ることが可能となる。
【００９３】
また、フォルダ内に電子ファイルを格納するので、ホーム画面から１ステップの操作で操作できる電子ファイルの数が、ホーム画面に電子ファイルを配置する方法と比べて、大幅に増える。
【００９４】
また、操作数を低減させるためにショートカットをホーム画面に作成することがあるが、本発明によれば、フォルダに格納した電子ファイルについてはショートカットを作成する必要がないため、その分だけ、他の電子ファイルのショートカットをホーム画面に作成することが可能となる。
【００９５】
また、逆に、ホーム画面に多量のアイコンが配置されることによる煩雑さを低減させる目的で、フォルダに格納した電子ファイルの数だけホーム画面に配置するアイコンの数を減らし、アイコンを見つけやすくすることが可能となる。
【００９６】
さらに、本発明によれば、電子ファイルを特定する際に、ユーザ操作に応じてフォルダを開き、該フォルダ内の電子ファイルを一覧表示するという一連の処理が発生しないため、ＣＰＵの処理負荷を低減することが可能となる。
【００９７】
〔変形例〕
次に、本実施形態の変形例について説明する。本変形例では、操作方向とファイル識別情報との対応付けを示す情報を、表示部１１に表示させる構成について説明する。これにより、操作方向とファイル識別情報との対応付けをユーザに提示することができるので、ユーザは、所望の電子ファイルに対して所定処理を実行させるためにはどの方向に操作すれば良いかを視覚的に判断することができる。
【００９８】
なお、操作方向とファイル識別情報との対応付けを示す情報のデータ形式は特に限定されるものではないが、ユーザが直感的に視認できるように、画像（以下、ガイド画像４１と表記する）であることが好ましい。
【００９９】
本変形例では、表示制御部２４は、接触判定部２１０にてフォルダアイコン４０の表示領域と指示体の接触位置とが一致すると判定されたとき、対応情報記憶部３０に格納されている対応情報に基づいて、ガイド画像４１を表示部１１に表示させる。また、ガイド画像４１が、フォルダごとに予め作成されており、フォルダ内の電子ファイルの種類や並び順が更新されたとき、更新されてもよい。
【０１００】
このとき、表示制御部２４は、タッチパネル５における所定位置から、対応情報記憶部３０に格納されている操作方向に向かう位置に、該操作方向と対応付けられているファイル識別情報で表わされる電子ファイルを表すアイコンを表示することによって、ガイド画像４１を表示させる（図５の（ｂ）を参照）。
【０１０１】
なお、上述では、接触判定部２１０にてフォルダアイコン４０の表示領域と指示体の接触位置とが一致すると判定したタイミングで、表示制御部２４がガイド画像４１を生成するものとして説明したが、ガイド画像４１の生成タイミングおよび生成主体は、これに限定されるものではない。例えば、フォルダに格納された電子ファイルが更新されたタイミングで、ガイド画像４１が生成され、記憶部１３に記憶される構成であってもよい。
【０１０２】
次に、本変形例における表示部１１に表示される画面例について図５を参照して説明する。図５は、本変形例における表示部１１に表示される画面例を示す模式図である。
【０１０３】
まず、図５の（ａ）は、図３の（ａ）と同様の、ホーム画面の一例である。そして、図５の（ｂ）に示すとおり、ユーザの指が、フォルダアイコン４０が表示されている領域に接触したものとする。
【０１０４】
このとき、表示制御部２４は、例えば図５の（ｂ）に示すように、ガイド画像４１を表示部１１に表示させる。この例では、フォルダアイコン４０から離れた位置にガイド画像４１を表示させている。そして、ガイド画像４１は、３行３列に区画された矩形であり、中央の矩形４２から、電子ファイルに対応付けられている方向に位置する矩形内に、当該電子ファイルのアイコンが表示されている。具体的には、上段中央の矩形４３に、カメラアプリケーションを表すアイコンが表示されている。つまり、ガイド画像４１は、上方向に操作方向に、カメラアプリケーションが対応付けられていることを示している。
【０１０５】
このように、ユーザがフォルダアイコン４０に触れたとき、スマートフォン１は、ガイド画像４１をユーザに提示するので、ユーザは、どの方向に操作すれば所望の電子ファイルを特定することができるかを容易に判断することが可能となる。
【０１０６】
なお、図５（ｂ）に示す状態から、ユーザが上方向にフリック操作を行なうと（図５（ｃ）参照）、実施形態１にて説明したとおり、ファイル特定部２２によってカメラのアプリケーションファイルが特定され、ファイル実行処理部２３によって、該特定されたアプリケーションファイルが実行され、その結果、カメラアプリケーションが起動される。
【０１０７】
なお、図５（ｂ）に示したガイド画像４１の形状は一例であって、矩形に限定されるものではない。
【０１０８】
また、フォルダアイコン４０を取り囲むように電子ファイルのアイコンを表示することによってガイド画像４１を表示してもよい。この場合、ユーザはフォルダアイコン４０から視線を大きく動かすことなく、ガイド画像４１を確認することができる。
【０１０９】
また、ガイド画像４１に表示される画像は、アイコンに限定されない。例えば、電子ファイルが画像ファイルである場合は、当該画像ファイルの縮小画像（つまり、サムネイル画像）を表示してもよい。
【０１１０】
また、ユーザの操作に応じてガイド画像４１を表示するか否かをフォルダ毎に設定できる構成であることが好ましい。当該構成によれば、例えば、（１）使用頻度が高く、操作方向と電子ファイルとの対応付けを把握しているフォルダを操作するときは、ガイド画像４１を表示しないように設定し、一方、（２）使用頻度が低く、操作方向と電子ファイルとの対応付けを把握していないフォルダを操作するときは、ガイド画像４１を表示するように設定することが可能になる。よって、ユーザの利便性および操作性をより高めることができる。
【０１１１】
＜実施形態２＞
本発明の他の一実施形態について、図６〜図８に基づいて説明すれば、以下の通りである。なお、説明の便宜上、上述の実施形態１にて説明した図面と同じ機能を有する部材については、同じ符号を付記し、その説明を省略する。
【０１１２】
本実施形態では、スマートフォン１は、操作方向とファイル識別情報とを予め静的に対応付けるのではなく、フォルダ内の電子ファイルの数と同数の異なる操作方向を動的に決定し、フォルダ内の電子ファイルを示すファイル識別情報のそれぞれに、該決定された操作方向を１対１に対応付ける構成について説明する。
【０１１３】
上記構成によれば、フォルダ内の電子ファイルの数に応じて、操作方向の数が決定されるので、フォルダに格納した電子ファイルのすべてに対して、操作方向が対応付けられる。これにより、フォルダ内に格納されている電子ファイルの全てを特定対象とすることができる。よって、ユーザの利便性および操作性をより高めることができる。
【０１１４】
図６を参照して、本実施形態に係るスマートフォン１の要部構成について説明する。図６は、本実施形態に係るスマートフォン１の要部構成を示すブロック図である。
【０１１５】
本実施形態に係るスマートフォン１において、実施形態１のスマートフォン１の構成と異なる点は、制御部１２が、さらに、方向数決定部（方向決定手段）２５、および、対応情報更新部（方向対応付け手段）２６を備えている点である。
【０１１６】
方向数決定部２５は、まず、フォルダに格納されている電子ファイルの数を計測する。そして、方向数決定部２５は、該計測した数と同数の、異なる２次元の方向を決定する。なお、決定される方向が複数ある場合、特定の方向に偏りが生じないようにすることが好ましい。
【０１１７】
次に、対応情報更新部２６は、フォルダに格納されている電子ファイルを示す識別情報のそれぞれに、方向数決定部２５が決定した方向を１対１に対応付けた対応情報を生成する。このとき、対応付ける方法としては、様々の方法が採用され得る。例えば、フォルダを開いたときの電子ファイルの並び順に従って、上記決定された方向を順次に対応付ける構成であってもよい。そして、対応情報更新部２６は、得られた対応情報を、対応情報記憶部３０に格納する。
【０１１８】
なお、方向数決定部２５および対応情報更新部２６によって、対応情報を生成して対応情報記憶部３０に格納するタイミングは、特に限定されるものではなく、（１）フォルダ内に新たな電子ファイルが格納されたとき、（２）フォルダ内の電子ファイルが削除されたとき、（３）フォルダ内の電子ファイルが更新されたとき、（４）接触判定部２１０により、フォルダアイコン４０が表示された領域に指示体が接触したと判定されたとき、などが挙げられる。
【０１１９】
次に、図７を参照して、対応情報記憶部３０に格納する対応情報を動的に生成する処理について具体的に説明する。図７は、対応情報記憶部３０に格納する対応情報を動的に生成する具体例を示す模式図である。
【０１２０】
図７の（ａ）に示すように、フォルダに４つの電子ファイルが格納されているとする。このとき、当該フォルダの対応情報記憶部３０には、図７の（ｂ）に示すとおり、上、右、下、左の４方向に、それぞれ、Ａ、Ｂ、Ｃ、Ｄのファイル識別情報が対応付けられているものとする。
【０１２１】
ここで、ユーザが当該フォルダ内に新たに４つの電子ファイル（ファイル識別情報がＥ〜Ｈ）を格納したものとする。格納後のフォルダの様子を、図７の（ｃ）に示す。
【０１２２】
このとき、方向数決定部２５は、フォルダ内の電子ファイル数を計測する。図７の（ｃ）に示す例では、８個であることが計測される。そして、方向数決定部２５は、該計測した数と同数の、異なる２次元の方向を決定する。ここでは、上、右上、右、右下、下、左下、左、左上の８方向を決定する。続いて、対応情報更新部２６は、ファイル識別情報Ａ〜Ｅのそれぞれに、上、右上、右、右下、下、左下、左、左上の８方向を１対１に対応付けた対応情報を生成する。そして、該生成した対応情報を対応情報記憶部３０に格納する。格納後の対応情報記憶部３０を、図７の（ｄ）に示す。
【０１２３】
なお、対応情報を更新するとき、更新前の対応情報を考慮するか否かは、特に限定されない。例えば、図７の（ｄ）に示すように、更新前の対応情報を考慮することなく対応付けを行ってもよいし、更新前の対応付けはできるだけ変更せず、追加された電子ファイルのファイル識別情報と、電子ファイルの追加に伴って新たに決定された操作方向とを対応付けてもよい。
【０１２４】
〔変形例〕
本実施形態においても、実施形態１の変形例のように、ガイド画像４１を表示させる構成であってもよい。ただし、本変形例では、フォルダ内の電子ファイル数に応じて、ガイド画像４１の表示態様を変更する構成である。
【０１２５】
図８は、ガイド画像４１の一具体例を示す模式図である。なお、図８に示すガイド画像４１の形状は一例であって、ガイド画像４１の形状を図８に示したものに限定されるものではない。また、図８に示すガイド画像４１は、図面の簡略化のために、ガイド画像４１内に表示されるべき電子ファイルのアイコンを省略している。
【０１２６】
図７の（ａ）のように、電子ファイルが４つ格納されているフォルダに対して、ユーザが操作を行った場合、例えば、図８の（ａ）に示す十字型のガイド画像４１が表示される。図８の（ａ）に示す例では、中央の矩形４４を基準として、上下左右の操作方向に対応付けられた電子ファイルのアイコンが、上下左右の矩形のそれぞれに表示される。
【０１２７】
一方、図７の（ｃ）のように、電子ファイルが８つ格納されているフォルダに対して、ユーザが操作を行った場合、例えば、図８の（ｂ）に示すガイド画像が表示される。
【０１２８】
また、実施形態１の変形例で説明したとおり、フォルダアイコン４０の周囲にガイド画像４１を表示してもよい。例えば、図８の（ｃ）および（ｄ）に示すように、フォルダアイコン４０を中心にガイド画像４１を表示する構成であってもよい。
【０１２９】
上記構成によれば、フォルダアイコン４０の周囲にガイド画像４１が表示されるので、ユーザはフォルダアイコン４０から視線を大きく動かすことなく、ガイド画像４１を確認することができるので、操作性を高めることができる。
【０１３０】
＜各実施形態に共通する変形例＞
上述の各実施形態では、接触判定部２１０は、フォルダアイコン４０が表示された領域に、指示体が接触したか否かを判定するものであるとして説明したが、これに代えて、フォルダアイコン４０の代わりに、フォルダへのリンクが規定されたリンクファイルを表す画像（以下、リンクアイコンと表記する）が表示された領域に、指示体が接触したか否かを判定する構成であってもよい。この場合、方向判定部２１１は、接触判定部２１０にてリンクアイコンの表示領域と指示体の接触位置とが一致すると判定され、かつ、操作決定部２１にてフリック操作またはドラッグ操作を受け付けたとき、操作方向を判定する。
【０１３１】
上記構成により、例えば、ホーム画面に設けられていないフォルダへのリンクが規定されたリンクファイル（いわゆる、ショートカット）を、ホーム画面に作成しておけば、リンクアイコンに対してフリック操作またはドラッグ操作を行なうだけで、当該フォルダに格納されている電子ファイルを特定することができる。
【０１３２】
さらに、リンクアイコンの表示領域に指示体が接触したとき、ガイド画像４１を表示する構成であってもよい。
【０１３３】
〔ソフトウェアによる実現例〕
最後に、スマートフォン１の各ブロック、特に、操作決定部２１、ファイル特定部２２、ファイル実行処理部２３、表示制御部２４、方向数決定部２５、および、対応情報更新部２６は、集積回路（ＩＣチップ）上に形成された論理回路によってハードウェア的に実現してもよいし、ＣＰＵ（Central Processing Unit）を用いてソフトウェア的に実現してもよい。
【０１３４】
後者の場合、スマートフォン１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるスマートフォン１の制御プログラムのプログラムコード（実行形式プログラム、中間コードプログラム、ソースプログラム）をコンピュータで読み取り可能に記録した記録媒体を、上記スマートフォン１に供給し、そのコンピュータ（またはＣＰＵやＭＰＵ）が記録媒体に記録されているプログラムコードを読み出し実行することによっても、達成可能である。
【０１３５】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１３６】
また、スマートフォン１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３８】
本発明は、指示体による操作を受け付けるとともに、電子ファイルを格納するフォルダを作成可能な、あらゆる情報処理装置に適用することができる。特に、スマートフォン、タブレットＰＣ、ＰＤＡ（Personal Digital Assistant）などの情報処理装置に好適に用いることができる。
【符号の説明】
【０１３９】
１  スマートフォン（情報処理装置）
５  タッチパネル
１０  入力部（操作部）
１１  表示部
２２  ファイル特定部（ファイル特定手段）
２３  ファイル実行処理部（処理実行手段）
２４  表示制御部（表示制御手段）
２５  方向数決定部（方向決定手段）
２６  対応情報更新部（方向対応付け手段）
４０  フォルダアイコン（フォルダを表す画像）
４１  ガイド画像（対応付けを示す情報）
２１０  接触判定部（接触判定手段）
２１１  方向判定部（方向判定手段）
【図１】
2014048841.tif 000003
【図２】
2014048841.tif 000004
【図３】
2014048841.tif 000005
【図４】
2014048841.tif 000006
【図５】
2014048841.tif 000007
【図６】
2014048841.tif 000008
【図７】
2014048841.tif 000009
【図８】
2014048841.tif 000010